(57)【要約】【課題】本発明は、ふたで覆われた状態でロックするように取っ手兼用ロック手段が備えられた料理用鍋に関するものであり、特に、鍋とロック手段が備えられた取っ手の組み立て構造が簡単でありながらも、鍋とふたが安定なロック構造を有するようにしたものである。【解決手段】このために鍋のふたが安着される上端枠の外側面下端で取っ手の結合のための結合突部を形成し、取っ手の下側には結合突部と結合される結合部が形成して、これを結合した状態で絞り要素で固定して、取っ手の上面中央は切開されて両側でガイドホールが形成された装着面を形成し、前記装着面のガイドホールに差込まれるガイド羽が形成された移動体をスライドに前、後進作動するように装着したものである。【選択図】図１
2016049384.tif 000002
【特許請求の範囲】
【請求項１】
内空間１１を有する鍋本体１０と該鍋本体１０の上端枠１２に置かれる圧力排出手段５０を具備したふた２０をロックして気密が維持されるように密閉するようにしながら鍋本体１０の移動を容易であるようにするための取っ手３０が形成されたものにおいて、
前記鍋本体１０のふた２０が安着される上端枠１２の外側面下端で取っ手３０の結合のための結合突部１３が形成されて、
前記結合突部１３に鍋本体１０の移動が容易であるように下側に結合部３１が形成されて上面中央に切開された装着面３２が形成された取っ手３０が結合されて、
前記装着面３２に前、後進作動で鍋本体１０の上端枠１２に安着されたふた２０をロックするための移動体４０が結合されることを特徴とするロック手段が備えられた料理用鍋。
【請求項２】
前記装着面３２の両側で前方だけで開口されたガイドホール３３が形成され、前記移動体４０の両側にはガイドホール３３に差込まれるガイド羽４１が形成されて、移動体４０が取っ手３０から前、後進作動して鍋本体１０の上端枠１２に安着されたふた２０の枠２１に位置されて、ふた２０をロックするようになることを特徴とする請求項１に記載のロック手段が備えられた料理用鍋。
【請求項３】
前記装着面３２の中央には前方に開口された装着ホール３４が形成されて、移動体４０の裏面中央には先端から後方に離隔された密着突起４２が形成されて移動体４０がふた２０のロックのためにふた２０の枠２１に位置される場合密着突起４２が鍋本体１０の上端枠１２の外側面に密着されて移動体４０がそれ以上移動されないようにしながら鍋本体１０に堅固に密着されることを特徴とする請求項２に記載のロック手段が備えられた料理用鍋。
【請求項４】
前記装着ホール３４が形成された後方には凹入溝３５を形成し、前記凹入溝３５に一部分が所定で突出される弾性体３６を装着し、前記移動体４０の裏面には突出された弾性体３６が差込まれる係止溝４３を移動体４０がふた２０のロックのための前、後方に移動される距離程度前、後方に形成されて移動体４０が移動される場合、弾性体３６が押されることによって加圧されながら係止溝４３に係止されて移動体４０が任意に流動されないように形成されることを特徴とする請求項３に記載のロック手段が備えられた料理用鍋。
【請求項５】
前記弾性体３６は板状であって中央が上向きに折曲げられ、前方は長さが短く後方は水平で長さが長いながら通孔が形成された延長面３６ａに形成され、前記凹入溝３５の底面には固定突起３５aが形成され、延長面３６ａに形成された通孔で固定突起３５aに差込結合されるか、または固定要素で弾性体３６を固定するようにすることを特徴とする請求項４に記載のロック手段が備えられた料理用鍋。
【発明の詳細な説明】
【技術分野】
【０００１】
本発明は、ふたで覆われた状態でロックするようにして、加熱によって発生される鍋の内部圧力を維持するようにロック手段が備えられた料理用鍋に関するものであり、特に、鍋にふたを密閉するようにするロック手段の組み立て構造が簡単で原価を節減しながらも鍋とふたを均一にロックするようにした状態で流動を防止して安定なロック構造を有するようにしたものである。
【背景技術】
【０００２】
現在、このような用途で使用される料理用鍋は、鋳物やダイキャスティングで成形されるために、それ自体にある程度の重量を有するようになり、料理時には鍋本体が熱く加熱されながら、このような加熱された鍋本体の移動のために鍋本体には通常、熱が伝導されない取っ手が溶接または絞り手段で組み立てされているものである。
【０００３】
また、このような鍋は、自体重量によって料理物を早く煮ると共に味を維持するようになるが、鍋本体の上端枠において、ふたで覆われた状態で鍋本体が高い温度に加熱される場合、鍋本体の内部の圧力が高くなるようになり、ふたの一定部分が持ち上げられて、水蒸気が漏れるか、または加熱されている食べ物が外部にあふれるようになり、食べ物の固有味と香を失って食べ物の味がなくなるようになるものである。また、このようにあふれた料理物の残骸によって鍋本体はもちろん加熱道具が汚れ、掃除をしなければならない煩わしさが発生するものであった。
【０００４】
したがって、ふたが持ち上げられることを防止するために、ふたの取っ手に大部分圧力排出手段５０が備えられるものである。
【０００５】
しかし、このような圧力排出手段によってもふたが持ち上げられることがあり、本願出願人が先に出願して特許登録されたものは、このような圧力排出手段が備えられた状態でもふたが持ち上げられることを防止するためのロック手段を具備したものであり、このようなロック手段を鍋本体の取っ手に備えるようにしたものである（特許文献１を参照）。
【０００６】
すなわち、鍋本体の上端に形成されるフランジに一定幅の段顎面が形成されるように段差を形成し、その中央を開口するようにした開口部を形成した後、前記段顎面の上部には上部体を内入して安着するようにして、段差面の裏面では下部体を上部体と密着するようにした状態で、絞り要素で結合して前記上部体には移動溝を形成して、前記移動溝に結合された状態でガイドされて、ふたの枠上面を押すようにするための移動軸が形成された移動体を結合して、前記移動体が分離しないように移動溝に結合された移動体の移動軸先端を上部体の裏面で固定バーで固定するようにしたロック手段を備え、加熱によってふたが任意に持ち上げられないようにしながらも、移動のための取っ手で使用するようにしたものである。
【先行技術文献】
【特許文献】
【０００７】
【特許文献１】韓国登録特許第１０−１２２３０７１号
【発明の概要】
【発明が解決しようとする課題】
【０００８】
しかし、このようなロック手段を装着するためには、鍋本体の上端にフランジが力を受けるように広く形成されなければならないため、鍋本体の嵩が大きくなることで、製造原価が上昇するという問題がある。
【０００９】
また、ふたにロック手段を装備する際に、下部体と移動体とでなるロック手段の組み立てに要する部品が多くなり、原価上昇はもちろんのこと、組み立てが難しくて複雑になり、生産性が落ちるという問題が発生する。
【００１０】
そこで、本発明は、このようなロック手段の鍋本体との組み立てが容易であるようにしながら、ロック手段の操作が容易に行える料理用鍋を提供することを、本発明が解決しようとする課題とする。
【課題を解決するための手段】
【００１１】
上記課題を解決するために、本発明の料理鍋は、鍋本体のふたが安着される上端枠の外側面下端に取っ手の結合のための結合突部を形成して、前記取っ手を結合突部に結合した状態で絞り要素で固定するようにして、前記取っ手の上面中央は切開されて、両側でガイドホールが形成された装着面を形成し、前記装着面のガイドホールに差込まれるようにガイド羽が形成された移動体を装着し、移動体がスライドされて鍋本体を覆うふたの枠を押すようにしながら取っ手として使用されるようにしたものである。
【００１２】
また、前記装着面の中央には装着ホールを形成し、移動体の裏面には密着突起を形成し、移動体がふたの枠に位置されれば密着突起が鍋本体の上端枠に密着され、移動体がそれ以上移動されないようにしたものである。
【００１３】
また、前記装着面には凹入溝を形成し、前記凹入溝に装着されて装着面より所定に突出される弾性体を装着し、移動体の裏面には突出された弾性体が係止される係止溝を一定間隔で形成し、移動体の作動を制限して任意に流動しないようにしたものである。
【発明の効果】
【００１４】
したがって、本発明は、鍋本体の側面で取っ手を結合し、取っ手の上面にふたをロックするようにするロック要素を備えるようにすることで、鍋本体の成形はもちろん、ロック手段が形成された取っ手の組み立てが容易になるものである。
【００１５】
また、ふたをロックした状態でロック手段が鍋本体を支持して堅固で安定的なロック構造を有するようになるものである。
【００１６】
また、ロック手段が弾性体に係止されて作動を制限することで、ふたの作動を制限して任意にふたが開かないようにして、料理される食べ物の味と香りの維持及びあふれることによって汚れることを防止するようになる。
【図面の簡単な説明】
【００１７】
【図１】本発明の鍋本体とふたが結合された外観斜視図である。
【図２】本発明の鍋本体に取っ手が結合される結合斜視図である。
【図３】本発明のロック手段が形成された取っ手の構造を示した分解図である。
【図４】本発明のロック手段の作動でふたがロックされる状態の断面図である。
【図５】本発明のロック手段が作動を制限する状態図である。
【発明を実施するための形態】
【００１８】
以下に添付する図面を参照して本発明を詳しく説明する。
図１乃至図５に示されているように本発明の鍋の構成は、内空間１１を有する鍋本体１０と前記鍋本体１０の上端枠１２にふた２０が置かれて、前記ふた２０には圧力排出手段５０が備えられて、前記ふた２０が置かれる上端枠１２の外側面下端に取っ手３０の結合のための結合突部１３が形成されて、前記結合突部１３には鍋本体１０の移動を容易であるようにするために下側に結合部３１が形成された取っ手３０を結合して固定要素と結合し、前記取っ手３０の上面では鍋本体１０を覆うふた２０をロックするために前、後進で作動する移動体４０が結合されたものである。
【００１９】
この時、前記鍋本体１０の上端枠１２は内側で段顎面１２ａを形成して、ふた２０の枠２１は段顎面１２ａに安着されるように平たい突出面２１ａに形成されてふた２０が段顎面１２ａに安着される場合、ふた２０の枠２１に形成された突出面２１ａが上端枠１２と水平面を成すようになりながら移動体４０が作動し、ふた２０の上端枠２１上面への進入が可能になり、かつロックがされるものである。
【００２０】
また、前記取っ手３０と移動体４０は、熱が伝導されないプラスチック材質で形成されて、鍋本体１０が加熱されても取っ手３０と移動体４０には熱が伝導されなくなって、鍋の移動やふた２０のロックのための移動体４０の操作が安全に作動できるようにしたものである。
【００２１】
この時、前記取っ手３０の上面には中央が切開されて両側にガイドホール３３が形成された装着面３２が形成され、前記装着面３２でガイドホール３３に差込まれるように両側にガイド羽４１が形成された移動体４０が結合され、装着面３２に結合された移動体４０が前、後進作動しながら鍋本体１０の上端枠１２を覆うふた２０の上端枠２１に位置されてロックするようになるものである。
【００２２】
また前記ガイドホール３３は、前方だけで開口されて後方は止まるように形成されて移動体４０がロックのための前方だけで前進作動され、ふた２０を解除するように後方で後進作動時には係止され、取っ手３０の装着面３２で完全に分離しないように形成されたものである。
【００２３】
また、前記移動体４０には前、後進作動が容易であるように上面に上向き突出された突出面４０ａが形成され、前記突出面４０ａと離隔された前方には障害物部４０ｂを形成し、前記突出面４０ａと障害物部４０ｂとの間に母指が位置されて残りの指は取っ手３０の裏面に位置されて把持が容易になるものであり、移動体４０をロックするようにする前、後進作動をする場合には、取っ手３０を把持された状態でも母指の動きだけで移動体４０を簡単に作動することができるようになるものである。
【００２４】
この時、前記装着面３２の中央には前方に開口された装着ホール３４が形成されて、移動体４０の裏面中央には移動体の先端より後方に形成されながら装着ホールが結合される密着突起４２が形成され、移動体４０がふた２０のロックのために前進作動され、移動体４０の先端がふた２０の上端枠２１の突出面２１ａに位置される場合、密着突起４２が鍋本体１０の上端枠１２の外側面に密着され、移動体４０がそれ以上移動されないでふた２０の上端枠２１の突出面２１ａに所定に係止されると共に鍋本体１０の上端枠１２を支持するようになって、堅固で安定的なロック構造を有するようになるものである。
【００２５】
一方、前記移動体４０はふた２０をロックした状態や解除された状態で任意に作動しないようにすることで、加熱される鍋本体１０を覆うふた２０が内部圧力によって任意に開閉されないようにするか、またはふた２０を開封する時に移動体が係止されないようにしたものである。
【００２６】
このために前記装着面３２の装着ホール３４が形成された後方または一側に内入された凹入溝３５を形成して、前記凹入溝３５で装着面３２の上面に所定に突出されて弾性作動される弾性体３６を装着するようにし、前記移動体４０の裏面には突出された弾性体３６が係止される係止溝４３を移動体４０がふた２０のロックのための前、後方に移動される距離程度の前、後方で形成するようにしたものである。
【００２７】
また、前記弾性体３６を押すことによる弾性作動のために前記弾性体３６は凹入溝３５の長さより短く形成し、弾性体３６が押す時に押すことが可能になりながら弾性作動を可能にしたものである。
【００２８】
したがって、前記移動体４０が移動される場合弾性体３６が押されることによって加圧されながら係止溝４３に係止されて移動体４０が任意に作動しなくなるものである。
【００２９】
この時、前記弾性体３６は板状であって中央が上向きに折曲げられて前方は長さが短いが端が巻かれ後方は水平で長く延長され、通孔が形成された延長面３６ａに形成されて上向きに折曲げられ、中央が凹入溝の上部で露出して後方の延長面が凹入溝に固定された状態で弾性体が押されて弾性作動する時、長さが短い前方先端が押されることによって作動して弾性作動が可能になるものである。
【００３０】
また、前記凹入溝３５の底面には弾性体３６の固定のための固定突起３５ａを形成し、延長面３６ａに形成された通孔が固定突起３５ａに差込結合されるようにするか、または固定要素で延長面を固定するようにしたものである。
【符号の説明】
【００３１】
１０  鍋本体
１１  内空間
１２  上端枠
１２ａ  段顎面
１３  結合突部
２０  ふた
２１  枠
２１ａ  突出面
３０  取っ手
３１  結合部
３２  装着面
３３  ガイドホール
３４  装着ホール
３５  凹入溝
３５ａ  固定突起
３６  弾性体
３６ａ  延長面
４０  移動体
４０ａ  突出面
４０ｂ  障害物部
４１  ガイド羽
４２  密着突起
４３  係止溝
５０  圧力排出手段
【図１】
2016049384.tif 000003
【図２】
2016049384.tif 000004
【図３】
2016049384.tif 000005
【図４】
2016049384.tif 000006
【図５】
2016049384.tif 000007